(57)【要約】【課題】レンズ装置を光軸に沿って撮像装置本体部のマウント係合部に装着し、レンズ装置を回転させずに固定する構成にて、接点部に付着しているゴミや異物等に対する除去効果（セルフクリーニング効果）により接触の信頼性を高めること。【解決手段】撮像装置本体部２００はレンズ装置１００を係合固定するマウント部を備える。電気的通信を行う接点部については、レンズ装置１００側に固定接点（接点端子片１０４）が設けられ、本体部２００側の可動接点（可動接点端子ピン１４１）が設けられている。可動接点は、光軸方向に対して傾斜した方向に移動可能である。マウント部の嵌合部にレンズ装置１００を挿入した際、固定接点と可動接点が接触しつつ可動接点が傾斜方向に移動し、両接点の接触位置が移動することで接点同士が擦れ合う構造とした。【選択図】図５
2015075587.tif 000002
【特許請求の範囲】
【請求項１】
レンズ装置がマウント部に装着された状態にて、前記レンズ装置に設けた接点部と接触する複数の接点部を備えた撮像装置であって、
前記複数の接点部は、前記レンズ装置の光軸方向に対して傾斜した方向に移動し得る可動接点をそれぞれ有しており、
前記レンズ装置を前記マウント部に挿入するにしたがって、前記レンズ装置の接点部に接触する前記可動接点の接触位置が移動することを特徴とする撮像装置。
【請求項２】
前記複数の接点部は、前記マウント部の円周形状に沿って円弧上に配置されていることを特徴とする請求項１に記載の撮像装置。
【請求項３】
前記可動接点をそれぞれ構成する端子ピンが挿入される貫通穴部を有するホルダ部材を備えることを特徴とする請求項２に記載の撮像装置。
【請求項４】
前記ホルダ部材の第１の周縁部は前記光軸を中心とする第１円に沿う形状であり、前記ホルダ部材の第２の周縁部は前記光軸を中心として前記第１円よりも半径の大きい第２円に沿う形状であり、複数の前記貫通穴部は、前記第１円よりも半径が大きく、かつ前記第２円よりも半径が小さい第３円に沿って配置されていることを特徴とする請求項３に記載の撮像装置。
【請求項５】
前記端子ピンは可動接点端子ピンおよび固定接点端子ピンを備え、
前記可動接点端子ピンは、前記ホルダ部材に対して付勢部材により付勢されることを特徴とする請求項３または４に記載の撮像装置。
【請求項６】
前記固定接点端子ピンと接触する基板を備え、
前記付勢部材は、前記固定接点端子ピンを前記基板に対して付勢することを特徴とする請求項５に記載の撮像装置。
【請求項７】
前記レンズ装置と撮像装置の本体部を相対的に回転させずに、前記レンズ装置を光軸方向に沿って前記撮像装置に装着して固定するマウント係合部を備えることを特徴とする請求項１ないし６のいずれか１項に記載の撮像装置。
【請求項８】
前記マウント部は、固定マウント部、および前記レンズ装置と係合する可動マウント部を備え、
ロック機構部を有する前記可動マウント部が前記固定マウント部に係合した状態で回動することにより、前記レンズ装置は前記撮像装置のマウント部と密着した状態で固定されることを特徴とする請求項１ないし７のいずれか１項に記載の撮像装置。
【請求項９】
前記ロック機構部は、前記可動マウント部に取り付けた腕部を備え、該腕部に回転操作部材が接続されていることを特徴とする請求項８に記載の撮像装置。
【請求項１０】
撮像装置のマウント部に装着された状態にて、前記撮像装置に設けた接点部と接触する複数の接点部を備えたレンズ装置であって、
前記複数の接点部は、前記レンズ装置の光軸方向に対して傾斜した方向に移動し得る可動接点をそれぞれ有しており、
前記レンズ装置を前記マウント部に挿入するにしたがって、前記撮像装置の接点部に接触する前記可動接点の接触位置が移動することを特徴とするレンズ装置。
【発明の詳細な説明】
【技術分野】
【０００１】
本発明は、レンズ交換可能な撮像装置において、撮像装置本体部のマウント係合部に対し、レンズ装置を光軸方向に沿って装着し、互いに接触することで通信を行う為の接点構造に関するものである。
【背景技術】
【０００２】
レンズ装置を撮像装置本体部に装着して使用する交換レンズ式システムには、レンズ装置を光軸方向に沿って直線的に撮像装置本体部のマウント係合部へ挿入し、レンズ装置を回転させて固定する第１のタイプがある。特許文献１には、回動着脱式のレンズ鏡筒マウントを有する交換レンズ鏡筒が開示されている。カメラ本体側のコネクターに圧接導通する電気コネクターは、接点カバー、接点ピンを個設した接点支持板、導通部を有する導体支持板、導通部を接点支持板に個設した接点ピンに圧接する弾性部材で構成されている。レンズ装置を撮像装置本体部に装着する際、ユーザがレンズ装置を回動させる。接点部同士が擦れ合う構造であるため、接点部にゴミや異物等が付着している場合に、除去効果（所謂セルフクリーニング）が発揮される。
【０００３】
一方、レンズ装置を光軸方向に沿って直線的に撮像装置本体部のマウント係合部に挿入し、レンズ装置を回転させずに固定する第２のタイプがある。レンズ装着の際、撮像装置本体部に構成したレンズ固定部材を回転して引き込む事でレンズ装置が撮像装置本体部に取り付けられて固定される。例えば、映画撮影用カメラで採用されているレンズマウント方式では、レンズ装置と撮像装置本体部との通信用接点として、一方の固定接点と、他方の可動接点（光軸に平行な方向に移動可能に付勢された接点）が設けられ、接触圧力が確保される。ＰＬ（Positive Lock）マウントタイプの接点部として、多ピンの基板間コネクタによる各種の構造が知られている。
【先行技術文献】
【特許文献】
【０００４】
【特許文献１】特許３７３３２４０号公報
【発明の概要】
【発明が解決しようとする課題】
【０００５】
前記第２のタイプでは、ユーザがレンズ装置を回転させずに、撮像装置本体部側のレンズ固定部材を回して引き込む動作が行われる。その際にレンズ装置は回転しないので、レンズ装置側の接点と撮像装置本体部側の接点とが互いに擦れ合う事が無い。これらの接点は点接触状態を維持し、接触圧によって導通を保つ構造となるため、セルフクリーニング動作が行われない。このため、接触の信頼性に対する配慮が十分でない可能性があった。
本発明の目的は、レンズ装置を光軸に沿って撮像装置本体部のマウント係合部に装着し、レンズ装置を回転させずに固定する構成にて、接点部に付着しているゴミや異物等に対する除去効果（セルフクリーニング効果）により接触の信頼性を高めることである。
【課題を解決するための手段】
【０００６】
上記課題を解決するために、本発明に係る撮像装置は、レンズ装置がマウント部に装着された状態にて、前記レンズ装置に設けた接点部と接触する複数の接点部を備えた撮像装置であって、前記複数の接点部は、前記レンズ装置の光軸方向に対して傾斜した方向に移動し得る可動接点をそれぞれ有しており、前記レンズ装置を前記マウント部に挿入するにしたがって、前記レンズ装置の接点部に接触する前記可動接点の接触位置が移動する。
本発明に係るレンズ装置は、撮像装置のマウント部に装着された状態にて、前記撮像装置に設けた接点部と接触する複数の接点部を備えたレンズ装置であって、前記複数の接点部は、前記レンズ装置の光軸方向に対して傾斜した方向に移動し得る可動接点をそれぞれ有しており、前記レンズ装置を前記マウント部に挿入するにしたがって、前記撮像装置の接点部に接触する前記可動接点の接触位置が移動する。
【発明の効果】
【０００７】
本発明によれば、レンズ装置を光軸に沿って撮像装置本体部のマウント係合部に装着し、レンズ装置を回転させずに固定する構成にて、接点部に付着しているゴミや異物等に対する除去効果を奏する。
【図面の簡単な説明】
【０００８】
【図１】図２から図１２と併せて本発明の実施形態を説明するために、撮像装置の構成例を示す斜視図である。
【図２】撮像装置本体部のマウント係合部の構成例を示す斜視図である。
【図３】レンズ装置のマウント係合部の構成例を示す斜視図である。
【図４】マウント接点ユニットの分解斜視図である。
【図５】レンズ装置と撮像装置本体部との嵌合前に接点が接触している状態を示す断面図である。
【図６】レンズ装置と撮像装置本体部とのマウント嵌合状態を示す断面図である。
【図７】接点ホルダを示す図である。
【図８】マウント部の構成を示す分解斜視図である。
【図９】レンズ装置側のマウント部の簡易形状を示す斜視図である。
【図１０】レンズ装置を撮像装置本体部に締結固定するロック動作を説明する正面図である。
【図１１】図１０の指示線Ａ，Ｂ，Ｃに示す各位置での断面図である。
【図１２】図１０のＤ部，Ｅ部，Ｆ部の詳細図である。
【発明を実施するための形態】
【０００９】
本発明の実施形態について、添付図面を参照して詳細に説明する。
図１は本実施形態に係る撮像装置の外観を示す斜視図である。図示の撮像装置はレンズ交換式カメラであり、撮像装置本体部（以下、単に「本体部」という）２００にレンズ装置１００を装着した状態を示す。撮像装置は前記第２のタイプ、つまり、レンズ装置１００を光軸に沿って本体部２００のマウント係合部に装着し、本体部２００に対して相対的にレンズ装置１００を回転させずに固定する構成を有する。
グリップ部２０１は、本体部２００にレンズ装置１００を装着した状態で、ユーザが手持ち撮影を行う際に把持する部分である。表示ファインダ２０２は、撮影した画像や撮影条件等の情報を表示してユーザに提示する。図１の断面Ｚ−Ｚ指示線は、レンズ装置１００の光軸を通る縦平面に直交する矢視方向から見た場合の断面指示線である。
【００１０】
図２は、レンズ装置１００が装着される本体部２００側のレンズマウント係合部の構成を示す斜視図である。以下では、本体部２００においてレンズ装置１００が装着される側を前側とし、その逆方向で像面側を後側と定義する。また、本体部２００に装着されたレンズ装置１００の光軸に近づく側を内側または内径側と定義して、各部の位置関係を説明する。また撮像光学系を構成するレンズ群の光軸に平行な方向を光軸方向と定義する。
マウント接点端子ユニット（以下、接点ユニットという）１０１は、固定マウント部２２０、可動マウント部２４０の内径部に配置される。接点ユニット１０１には、複数のマウント接点端子ピン（以下、端子ピンという）１０２が配置されており、レンズ装置１００内の回路部と本体部２００内の回路部との間で通信用の信号伝達が行われる。複数の端子ピン１０２はマウント部を構成するホルダ部材に形成した貫通穴部に挿入されて前方に突出しており、マウント部の形状に合わせて円弧上に配置されている。各端子ピン１０２は、本体部２００に装着されたレンズ装置１００の光軸に対して所定の角度をもって傾斜した方向に沿って移動可能に支持され、斜め前方に向けてバネ等の弾性部材で付勢されている。構成の詳細については後述する。
【００１１】
図３はレンズ装置１００のマウント係合部の構成を示す斜視図である。レンズ接点端子ユニット１０３はレンズマウント１１０の内径部に配置され、複数のレンズ接点端子片（以下、接点端子片という）１０４が露出した状態で配置されている。
レンズ装置１００の装着手順として、ユーザはまず、レンズ装置１００を本体部２００に対して位置合わせを行う。ユーザは、光軸が略一致し、かつレンズマウント１１０と固定マウント部２２０の所定の嵌合位相に略一致した場所にレンズ装置１００を保持し、そのまま光軸方向に移動させる。レンズマウント１１０と固定マウント部２２０が嵌合した状態で、ユーザは図２の回転操作部材１０９ａ、１０９ｂを使って回転操作を行い、レンズマウント１１０と固定マウント部２２０を密着させて係合し、取り付け操作を完了する。回転操作部材１０９ａ、１０９ｂは後述するロック機構部と接続され、ロック機構部を成す腕部（図８：２６０ａ、２６０ｂ参照）に接続されている。これらの腕部は可動マウント部（図８：２４０参照）に接続されている。尚、本実施形態では、本体部２００側の接点端子が可動端子であり、レンズ装置１００側の接点端子が固定端子である。これとは逆に、本体部２００側を固定端子とし、レンズ装置１００側を可動端子としてもよく、製品の仕様に応じて適宜に設定可能である。
【００１２】
図４は接点ユニット１０１の分解斜視図である。接点部は複数の端子ピン１０２により構成され、マウント部の円周形状に対して円弧上に配置されている。
複数の端子ピン１０２はそれぞれ、可動接点端子ピン１４１と、固定接点端子ピン１４２と、後述の接点端子バネ１４８を有し、１つの接点を構成する。各端子ピン１０２は、ホルダ部材である接点ホルダ１４３に形成した貫通穴部１４３ａにそれぞれ挿入され、後方に配置されるマウント接点ベース１４４に組み込まれる。
【００１３】
マウント接点ＦＰＣ（フレキシブルプリント基板）１４５は、本体部２００の回路部に信号を伝えるため、導体部が固定接点端子ピン１４２と接触する。マウント接点ＦＰＣ１４５は押さえ部材１４６によって保持される。接点ユニット１０１を結合する複数のビス１４７は、マウント接点ベース１４４と、マウント接点ＦＰＣ１４５と、押さえ部材１４６の各穴に挿通され、接点ホルダ１４３に設けた後述のタップ穴部１５５にそれぞれ締結される。こうして接点ユニット１０１が組み上がる。
【００１４】
図５はレンズ装置１００を本体部２００に装着する際、接点端子片１０４と端子ピン１０２とが接触を開始した状態を示す断面図である。
レンズ装置１００に配置した接点端子片１０４は、本体部２００に配置した可動接点端子ピン１４１の先端部と接触位置１０８ａで接触する。可動接点端子ピン１４１の突出は接点ホルダ１４３に設けた突出規制部１０６ａによって規制される。接点端子バネ１４８は可動接点端子ピン１４１を突出規制部１０６ａに対し弾性力によって付勢する導電性の付勢部材である。また、接点端子バネ１４８の弾性力によってその反対側の固定接点端子ピン１４２にもマウント接点ＦＰＣ１４５に対して付勢力が加わる。接触位置１０７にて、固定接点端子ピン１４２の先端部はマウント接点ＦＰＣ１４５の導体部と接触している。接点端子片１０４からマウント接点ＦＰＣ１４５までの電気的接続については、可動接点端子ピン１４１と固定接点端子ピン１４２との間に配置される接点端子バネ１４８の付勢力によって接触圧が確保されるので、各々の金属部品同士が確実に導通する状態となる。
【００１５】
接点端子片１０４と可動接点端子ピン１４１とが接触を開始する位置において、レンズマウント１１０と、本体部２００に配置した固定マウント部２２０との突き当て面部１０５は互いに離間した状態である。この状態でレンズ装置１００側のマウント嵌合部（矢印１３１で示す部分）と、本体部２００側の固定マウント嵌合部（矢印１３２で示す部分）は互いに離間している。尚、これらのマウント嵌合部の寸法及び公差は、両者が嵌合した際に径方向で位置が決まるように設定されている。
【００１６】
図６は、図５の状態からレンズ装置１００を本体部２００側へと更に接近させることで、レンズ装置１００と本体部２００が係合した状態を示す断面図である。
レンズマウント１１０は、本体部２００の固定マウント部２２０に対し、光軸方向にて突き当て面部１０５に当接している。レンズ装置１００側のマウント嵌合部１３１と、本体部２００側の固定マウント嵌合部１３２は、光軸に対して直交する径方向に嵌合されて位置が決定される。マウント嵌合のストロークを図５の矢印１３３に示す。
【００１７】
接点端子片１０４は可動接点端子ピン１４１の先端部に接触したままで、矢印１０６ｂ方向に移動し、接触位置１０８ａから１０８ｂに変化する。この接触位置の移動幅１０８に相当する範囲において、接点端子片１０４と可動接点端子ピン１４１とが互いに擦れ合う事になる。よって、接点に付着した塵埃等を除去するセルフクリーニング動作が行われる。
この様に本実施形態では、レンズ装置を撮像装置本体部に取り付ける際、両者を相対的に回転させる操作を必要とせずに、互いの接点が擦れ合うので、セルフクリーニング効果が発揮され、接触の信頼性を確保できる。
【００１８】
図７は、接点ホルダ１４３を示す説明図である。図７（Ａ）は正面図である。光軸１５１は紙面に直交する方向に延びている。図７（Ｂ）は図７（Ａ）の指示線ａ１−ａ１に沿う断面図である。指示線ａ１−ａ１は、方向線１５１ａに平行な断面指示線である。図７（Ｃ）は矢印１５３の方向から見た場合の矢視図である。
図７（Ａ）にて、光軸１５１に対して垂直な上下方向に方向線（垂直線）１５１ａを示す。接点ホルダ１４３は、固定マウント部２２０の環状部の内側に配置される。このため、接点ホルダ１４３の周縁部は、その形状が固定マウント部２２０の環状部の中心軸である光軸１５１を略中心とする円弧状である。正面から見た場合、接点ホルダ１４３の第１の周縁部は、光軸を略中心とする円弧（矢印１５２ａ参照）に沿う形状として形成される。また接点ホルダ１４３の第２の周縁部は、光軸を略中心とする円弧（矢印１５２ｂ参照）に沿う形状として形成される。光軸１５１を基準として円弧（矢印１５２ａ参照）を含む第１円の半径は、円弧（矢印１５２ｂ参照）を含む第２円の半径よりも小さい。複数のピン穴（貫通穴部）１４３ａの略中心を結んで形成される円弧（矢印１５２ｃ参照）は、光軸１５１を中心とする第３円の一部である。この第３円の半径は第１円の半径よりも大きく、第２円の半径よりも小さい。このように、複数のピン穴を、第３円の一部をなす円弧に沿ってそれぞれ配置することにより、複数の接点ピンにて内面反射光の写り込み等の影響を低減できる。
【００１９】
図７（Ｂ）にて左右方向に延びる１点鎖線は、光軸１５１に対して平行な方向線１５１ｂを示す。複数のピン穴１４３ａは、方向線１５１ｂに対して所定の傾斜角１４３ｂをなしている。傾斜角１４３ｂの値は、複数のピン穴１４３ａにおいて全て同一である。ピン穴１４３ａは小径の穴部とこれよりもやや大径の穴部をもつ貫通穴部として形成されている。
複数のピン穴１４３ａは全て同一の角度で形成されているので、傾斜角１４３ｂの方向に対して、同じ形状に加工することができる。例えば、金型加工の場合、図７（Ｃ）に示す２線の間隔１５４に亘って１つの金型を作成し、２線間のピン穴１４３ａと外形形状を一体の金型で構成できる。一方で、ビス止め用のタップ穴部１５５は間隔１５４の外側にて方向線１５１ｂに沿う角度をもつため、別の一対となる金型を用意し、間隔１５４内の部分を作成するための金型とは、別の方向から型加工を行う必要がある。
【００２０】
接点ホルダ１４３は、本体部２００に構成した固定マウント部の環状部内側にて円弧に沿って配置される。その外形形状を円弧に沿う形状とし、かつ複数の接点端子ピンの形成位置を円弧に沿わせることで固定マウント部内に効率的に配置できる。複数の接点端子ピンの傾斜角度を同一方向から見て同じ角度にすることで、接点端子ピンを保持する接点ホルダの各貫通穴を同時に加工できるので、加工性が高まる。
【００２１】
次に、レンズ装置１００を本体部２００に固定するロック機構部について説明する。
図８（Ａ）は、本実施形態に係るレンズ装着機構部の要部を、本体部２００の正面から見た場合の分解斜視図であり、図８（Ｂ）は、背面から見た場合の分解斜視図である。尚、図８にて、レンズ装置１００についてはレンズマウント１１０のみを示す。図９は、レンズ装置１００を構成するレンズマウント１１０の一部１２０を、正面側から見た場合の斜視図である。レンズ装着機構部は、レンズ装置１００側のレンズマウント１１０と、本体部２００側の構成部、つまり固定部２１０と、固定マウント部２２０と、可動マウント部２４０と、腕部２６０ａ及び２６０ｂで構成される。
【００２２】
レンズマウント１１０は、マウント面部１１１と、バヨネット爪部１１２ａ〜ｃを備える。バヨネット爪部１１２ａ〜ｃはそれぞれ爪接触面部１１３ａ〜ｃを有する。図９に示すように、マウント部の一部１２０は、バヨネット爪部１２２ａ〜ｃと、爪接触面部１２３ａ〜ｃと備える。バヨネット爪部１２２ａ〜ｃは、図８のバヨネット爪部１１２ａ〜ｃにそれぞれ相当する。爪接触面部１２３ａ〜ｃは、バヨネット爪部の爪接触面部１１３ａ〜ｃにそれぞれ相当する。尚、図９に示すマウント部の一部１２０は、以降、機能を説明する場合にレンズマウント１１０を代表するものとする。
【００２３】
本体部２００側の固定部２１０は、複数の締結部２１１ａ〜ｄを有しており、これらの締結部２１１ａ〜ｄにはタップ穴部が形成されている。固定マウント部２２０はほぼ円環形状であり、マウント面部２２１が開口部２２２の周囲に形成されている。開口部２２２は円形状である。マウント面部２２１は、レンズ装置１００のマウント面部１１１と当接する部分である。開口部２２２には、バヨネット爪部１１２ａ〜ｃが挿通される。雌ねじ部２２３は、図８（Ｂ）に示すように、マウント面部２２１の背面側にて、光軸を中心にして配設される。複数の貫通穴部２２４ａ〜ｄは、固定マウント部２２０の外周部に形成されている。貫通穴部２２４ａ〜ｄにそれぞれ挿通されたビスは締結部２１１ａ〜ｄに締結され、固定マウント部２２０は固定部２１０に取り付けられる。固定マウント部２２０は外周縁部に、第１の当て面部２３１と、第２の当て面部２３２を有する。
【００２４】
可動マウント部２４０は、爪部２４１ａ〜ｃと、雄ねじ部２４３と、締結部２４４ａ〜ｄを備える。爪部２４１ａ〜ｃはそれぞれ爪接触面部２４２ａ〜ｃを有しており、レンズ装置１００のバヨネット爪部１１２ａ〜ｃとそれぞれ当接する。雄ねじ部２４３は可動マウント部２４０の外周面部に形成されており、固定マウント部２２０の雌ねじ部２２３と螺合する。図８（Ｂ）に示すように、可動マウント部２４０の背面には複数の締結部２４４ａ〜ｄが形成されており、タップ穴部が配置されている。
【００２５】
一対の腕部２６０ａ及び２６０ｂは、回転操作部材１０９ａ、１０９ｂ（図２）と接続され、ロック機構部を成す部材である。腕部２６０ａ及び２６０ｂは、第１の当て面部２６５と第２の当て面部２６６を有する部分と、貫通穴部２６４ａ〜ｄが形成された取付部を備える。貫通穴部２６４ａ及び２６４ｂは腕部２６０ａに形成され、貫通穴部２６４ｃ及び２６４ｄは腕部２６０ｂに形成されている。貫通穴部２６４ａ〜ｄを挿通したビスは、可動マウント部２４０の締結部２４４ａ〜ｄに締結され、腕部２６０ａ及び２６０ｂは可動マウント部２４０の背面に取り付けられる。固定部２１０と固定マウント部２２０に挟まれた範囲において、腕部２６０ａ及び２６０ｂは可動マウント部２４０に対して外径方向に突設される。回転操作部材１０９ａ、１０９ｂの操作により、腕部２６０ａ及び２６０ｂを介して可動マウント部２４０が回動する。
【００２６】
次に、レンズ装置１００を本体部２００に固定する方法を説明する。
図１０は、レンズ装置１００を本体部２００に装着する場合の、レンズマウント要素の動作を順次に説明する正面図である。図１０（Ａ）は、レンズ装置１００のバヨネット爪部１１２ａ〜ｃと可動マウント部２４０の爪部２４１ａ〜ｃが、光軸に沿う方向から見た場合に重ならない位置（レンズの着脱可能位置）での状態を示す。図１１（Ａ）は、図１０（Ａ）の指示線Ａに沿う拡大断面図であり、図１２（Ａ）は、図１０（Ａ）のＤ部の詳細図である。
バヨネット爪部１１２ａ〜ｃは固定マウント部２２０の開口部２２２に挿通され、レンズ装置１００のマウント面部１１１と、本体部２００のマウント面部２２１とが当接する。これはレンズ装置１００の端部を本体部２００に挿入し、つき合わせた状態である。
【００２７】
図１０（Ｂ）は、光軸を中心にして、可動マウント部２４０を固定マウント部２２０に対して、反時計回り方向に回動させた状態を示す（腕部２６０ａ及び２６０ｂの位置を参照）。この状態でバヨネット爪部１１２ａ〜ｃと爪部２４１ａ〜ｃは、光軸に沿う方向から見た場合に重なっている。図１１（Ｂ）は、図１０（Ｂ）の指示線Ｂに沿う拡大断面図であり、図１２（Ｂ）は、図１０（Ｂ）のＥ部の詳細図である。図１１（Ｂ）にて、レンズ装置１００のマウント面部１１１と、爪接触面部１１３ａとの距離を矢印１５０で示す。また固定マウント部２２０のマウント面部２２１と、可動マウント部２４０の爪接触面部２４２ａとの距離を、矢印２５０で示す。
【００２８】
図１０（Ａ）、図１０（Ｂ）の状態では、雌ねじ部２２３と雄ねじ部２４３とが螺合しているため、爪部２４１ａ〜ｃは、可動マウント部２４０の回動と同時に光軸方向に沿って固定部２１０の側に移動する。
図１０（Ｃ）は、レンズマウント１１０の爪接触面部１１３ａ〜ｃと可動マウント部２４０の爪接触面部２４２ａ〜ｃとがそれぞれ当接するまで、可動マウント部２４０を回動させ、レンズ装置１００が本体部２００に嵌合して締結された状態を示す。爪接触面部１１３ａ〜ｃは、爪接触面部２４２ａ〜ｃとそれぞれ接触している。図１１（Ｃ）は、図１０（Ｃ）の指示線Ｃに沿う拡大断面図であり、図１２（Ｃ）は、図１０（Ｃ）のＦ部の詳細図である。
【００２９】
ねじ式レンズマウントの場合には、爪接触面部２４２ａ〜ｃと爪接触面部１１３ａ〜ｃとが係合する面を、本体部２００のマウント面部２２１よりも、レンズ装置１００側に設ける必要がある。このため、本体部の小型化には不向きである。
尚、雄ねじ部２４３と雌ねじ部２２３との関係は左ねじで、ねじ送り量が数ｍｍで、ねじピッチはその２分の１である。雄ねじ部２４３と雌ねじ部２２３とは、バヨネット式レンズマウントにて、レンズ装置１００の取り付け時の回転方向が本体部２００に対して時計回り方向であれば左ねじとなり、反時計回り方向であれば右ねじとなる。また、ねじ送り量が大きいほど、少ない回動操作量で大きな光軸方向の移動距離が得られる。つまり、ねじ送り量を大きくするほど、回動操作量に対する距離（図１１の矢印２５０参照）が大きくなる。例えば、図１１に矢印１５０で示す距離に関し、レンズマウント１１０の個体差によって仮にばらつきが生じても、ばらつき量を上回る距離に対して、少ない回転操作量でねじ部が移動可能になる。このため、本体部２００に対してレンズ装置１００を確実に締結することができる。反対に、ねじ送り量が小さいほど、締め付け軸力が上がる。つまり、締結力を大きく設定する場合には、ねじ送り量を小さくしなければならないため、ねじ送り量については適切に選択する必要がある。また、ねじ部同士が螺合するねじ山の数が多いほど、雄ねじ部２４３及び雌ねじ部２２３への応力集中が分散される。このため、狭いスペースで螺合するねじ山の数を多くし、かつ確実な締結と大きな締め付け軸力とを満たすねじ送り量に設定するためには、ねじピッチが小さく、ねじ送り量が大きい多条ねじを使用する。尚、雄ねじ部２４３と雌ねじ部２２３との間には摺動グリスが塗布されているので、ねじ部同士が擦れて回動時のざらつきを抑え、耐久性能と摺動感を向上させる効果を奏する。
【００３０】
この様に、レンズ装置を本体部に対して固定する構成において、ロック部材の一部を成す腕部を設けた可動マウント部が固定マウント部に係合した状態で回動する。可動マウント部を回動させながら、レンズ装置側マウントと本体部側マウントを互いに密着させることができる。また、前記したマウント接点構造により、レンズ装置と本体部との嵌合前における誘導範囲内で接点同士が摺動してセルフクリーニング効果が得られる。つまり、レンズ装置と本体部の一方に固定接点部を設け、他方の可動接点部を設けた構成において、レンズ装着の際、固定接点部と可動接点部とが接触状態を維持しつつ、可動接点部はレンズ装置の光軸方向に対する傾斜方向に沿って移動する。固定接点部との接触部の位置が移動した後、最終的にマウント部の嵌合が行われる。従って、本実施形態によれば、接点部同士の接触の信頼性を保ちつつ、着脱性を向上させることができる。
【００３１】
なお、レンズ装置に可動接点部を設け、撮像装置本体部に固定接点部を設ける実施形態の場合、撮像装置のマウント部にレンズ装置が装着される際、本体部の固定接点部に対して可動接点部が接触する。この場合、接点部同士の関係が前記の例とは逆転し、レンズ装置を本体部のマウント部に挿入するにしたがって、本体部の固定接点部と接触する可動接点の接触部が移動してセルフクリーニング効果を奏する。
【符号の説明】
【００３２】
１０１‥‥マウント接点端子ユニット
１０２‥‥マウント接点端子ピン
１０４‥‥接点端子片
１４１‥‥可動接点端子ピン
１４２‥‥固定接点端子ピン
１４３‥‥接点ホルダ
１４３ａ‥‥ピン穴
１４５‥‥マウント接点ＦＰＣ 
２４０‥‥可動マウント部 
２６０ａ，２６０ｂ‥‥腕部 
【図１】
2015075587.tif 000003
【図２】
2015075587.tif 000004
【図３】
2015075587.tif 000005
【図４】
2015075587.tif 000006
【図５】
2015075587.tif 000007
【図６】
2015075587.tif 000008
【図７】
2015075587.tif 000009
【図８】
2015075587.tif 000010
【図９】
2015075587.tif 000011
【図１０】
2015075587.tif 000012
【図１１】
2015075587.tif 000013
【図１２】
2015075587.tif 000014